【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
無線パケットデータ通信システムにおいて、該システムは、
任意のデータ伝送速度で該パケットデータを拡散し送信する送信機からなり、該送信機は拡散パケットデータ送信に対する符号化利得を設定するよう動作し、そして、該符号化利得は該データ伝送速度を決定するものであり、該システムはさらに、
該送信機からの該拡散パケットデータを受信しデスプレッディングする受信機と、
該送信機と該受信機の間に物理的リンクを提供して該拡散パケットデータを該送信機と該受信器との間で通信する、所定のコヒーレンス期間を有するチャネルとからなり、
該送信機は任意の時点で該拡散パケットデータ送信の該符号化利得を変更して設定することにより、該データ伝送速度を任意の伝送速度に変更するよう動作し、そして該受信機は該送信機によって設定された任意の符号化利得で該拡散パケットデータをデスプレッディングするよう動作することを特徴とする通信システム。
【請求項２】
請求項１に記載の通信システムにおいて、該送信機が正常動作モードの間に第１の符号化利得を、また一時的動作モードの間に第２の符号化利得を確立するよう動作し、該第１の符号化利得は第１のデータ伝送速度を設定し、該第２の符号化利得は第２のデータ伝送速度を設定することを特徴とする通信システム。
【請求項３】
請求項２に記載の通信システムにおいて、該第２のデータ伝送速度は該第１のデータ伝送速度より大きいことを特徴とする通信システム。
【請求項４】
請求項３に記載の通信システムにおいて、該送信機が、該チャネルコヒーレンス期間より短い期間に対して、該一時的動作モードの間該パケットデータを送信するよう動作することを特徴とする通信システム。
【請求項５】
請求項４に記載の通信システムにおいて、該送信機は、任意のチップ速度を有する符号化シーケンスを介して該符号化利得を設定することを特徴とする通信システム。
【請求項６】
請求項２に記載の通信システムにおいて、該送信機は初期化手段を介して該正常動作モードを確立するものであり、該初期化手段は、
該送信機と該受信機の間で通信を同期させて、該送信機と該受信機との間で該任意のチップ速度を有する該符号化シーケンスを同期させる手段と、
該同期された通信について任意のビット誤差率を確立すべく、送信電力を決定する手段とを含むことを特徴とする通信システム。
【請求項７】
請求項６に記載の通信システムにおいて、該送信機は、エスケープ手段を介して該一時的動作モードを確立するものであり、該エスケープ手段は、
該受信機に対して該一時的動作モードに切り替わるよう知らせるエスケープ指示を送信する手段と、
該一時的動作モードの間該任意のビット誤差率を維持すべく、該送信電力の変更を決定する手段とを含むことを特徴とする通信システム。
【請求項８】
請求項７に記載の通信システムにおいて、該送信機と該受信機間の該同期を凍結する手段をさらに含むことを特徴とする通信システム。
【請求項９】
請求項７に記載の通信システムにおいて、該一時的動作モードに対する該送信機と該受信機間の通信を同期させる手段をさらに含むことを特徴とする通信システム。
【請求項１０】
請求項７に記載の通信システムにおいて、該エスケープ指示は、該一時的動作モードの間該パケットデータを送信する期間を示すことを特徴とする通信システム。
【請求項１１】
請求項１０に記載のシステムにおいて、該エスケープ手段は、該受信エレメントに対して任意の時間に該正常動作モードに復帰するよう指示する復帰指示を送信する手段をさらに含むことを特徴とする通信システム。
【請求項１２】
請求項２に記載の通信システムにおいて、該送信機と該受信機は、任意の期間該一時的動作モードに入ることを特徴とする通信システム。
【請求項１３】
請求項１２に記載の通信システムにおいて、該任意の期間は、該所定のチャネルコヒーレンス期間より小さいことを特徴とする通信システム。
【請求項１４】
請求項６に記載の通信システムにおいて、該送信電力を決定する手段が、
測定電力レベル、即ち測定ノイズを決定すべく、該受信機で該パケットデータを監視する手段と、
該測定電力レベルと該測定ノイズから測定信号対雑音（Ｓ／Ｎ）比を有する測定信号強度を計算する手段と、
測定ビット誤差率（ＢＥＲ）を決定すべく、該受信機で該パケットデータを監視する手段と、
該測定ＢＥＲが該任意のＢＥＲの許容範囲外にある時、該送信電力レベルを調整する手段とを含むことを特徴とする通信システム。
【請求項１５】
請求項１４に記載の通信システムにおいて、該送信電力を調整する手段が、
該一時的動作モードで動作する時、測定ＢＥＲを計算する手段と、
該測定ＢＥＲが実質上該任意のＢＥＲと同じかどうかを決定する手段と、
該測定ＢＥＲが該任意のＢＥＲと実質上同じになるように、該送信電力を調整する手段とを含むことを特徴とする通信システム。
【請求項１６】
請求項１に記載のシステムにおいて、該チャネルは、多重通路チャネルであることを特徴とする通信システム。
【請求項１７】
請求項１に記載のシステムにおいて、該受信機は、該送信機からのパケットデータを捕捉、探知およびデスプレッディングするＲＡＫＥ受信機を有することを特徴とする通信システム。
【請求項１８】
請求項１に記載のシステムにおいて、該無線システムは、符号分割多元接続（ＣＤＭＡ）符号化を利用するスペクトル拡散システムであることを特徴とする通信システム。
【請求項１９】
無線通信システムのチャネルを介して通信する送信機と受信機の間に多重伝送速度パケットデータ通信を提供する方法であって、該チャネルは任意のコヒーレンス期間を有するものであり、該方法は、
該パケットデータの該受信機への送信についての符号化利得を有する信号を該送信機が生成する、第１の通信モードを確立する段階と、
該受信機に対して第２の通信モードに切り替わるよう指示すべく、任意の時間に該受信機にエスケープ指示を送信する段階からなり、該送信機は、該第２の通信モードの間任意の符号化利得を有する信号を生成するよう動作し、
該第１の通信モードの該符号化利得が該送信機と該受信機の間で第１のデータ伝送速度を確立し、該第２の通信モードの該任意の符号化利得が該送信機と該受信機の間で第２のデータ伝送速度を確立し、
該送信機は、任意の時間に該第１のおよび該第２の通信モードの該符号化利得を変更および設定するよう動作することにより、該任意の時間に該第１のおよび該第２のデータ伝送速度を変更することを特徴とする方法。
【請求項２０】
請求項１９に記載の方法において、該第２のデータ伝送速度は該第１のデータ伝送速度より大きいことを特徴とする方法。
【請求項２１】
請求項２０に記載の方法において、該送信機は、チャネルコヒーレンス期間より短い期間、該第２の通信モードの間に該パケットデータを送信するよう動作することを特徴とする方法。
【請求項２２】
請求項２１に記載の方法において、任意のチップ速度を有する任意の符号化シーケンスを介して該第１のおよび該第２の符号化利得を設定する段階をさらに含むことを特徴とする方法。
【請求項２３】
請求項２２に記載の方法において、該第１の通信モードを確立する段階が、
該任意のチップ速度を有する該符号化シーケンスを同期させるべく、該送信機と該受信機との間の通信を同期させる段階と、
該同期された通信について任意のビット誤差率を維持すべく送信電力を確立する段階とをさらに含むことを特徴とする方法。
【請求項２４】
請求項２３に記載の方法において、エスケープ手段を通じて該第２の通信モードを確立する段階を含み、該エスケープ手段は、該第２の通信モードの間任意のビット誤差率を維持すべく該送信電力の変更を決定する段階をさらに含むことを特徴とする方法。
【請求項２５】
請求項２４に記載の方法において、該エスケープ手段は、該送信機と該受信機の間に該第１の通信モード中に確立された該同期を凍結する段階をさらに含むことを特徴とする方法。
【請求項２６】
請求項２４に記載の方法において、該エスケープ手段は、該第２の通信モード中に該送信機と該受信機の間に通信の同期を確立する段階をさらに含むことを特徴とする方法。
【請求項２７】
請求項１９に記載の方法において、該エスケープ指示が該一時的モードの期間を示すことを特徴とする方法。
【請求項２８】
請求項１９に記載の方法において、受信機に対して該第１の通信モードから該第２の通信モードに任意の時間に切り替わるよう指示する復帰指示を送信する段階をさらに含むことを特徴とする方法。
【請求項２９】
請求項１９に記載の方法において、該送信機と該受信機は任意の期間該第２の通信モードに入ることを特徴とする方法。
【請求項３０】
請求項２９に記載の方法において、該任意の期間は該所定のチャネルコヒーレンス期間より短いことを特徴とする方法。
【請求項３１】
請求項２３に記載の方法において、該送信電力を確立する該段階が、
測定電力レベル、即ち測定ノイズを決定すべく該受信機で該パケットデータを監視する段階と、
該測定電力レベルと該測定ノイズから、測定信号対雑音（Ｓ／Ｎ）比を有する測定信号強度を計算する段階と、
測定ビット誤差率（ＢＥＲ）を決定すべく、該受信機で該パケットデータを監視する段階と、
該測定ＢＥＲが該任意のＢＥＲの許容範囲外にある時、該送信電力レベルを調整する段階とをさらに含むことを特徴とする方法。
【請求項３２】
請求項２４に記載の方法において、該送信電力の変更を決定する該段階が、
該第２の通信モードで動作する時測定ＢＥＲを計算する手段と、
該測定ＢＥＲが実質上該任意のＢＥＲと同じであるかどうかを判断する手段と
、
該測定ＢＥＲが実質上該任意のＢＥＲと同じであるように、該送信電力を調整する手段とをさらに含むことを特徴とする方法。
【請求項３３】
請求項１９に記載の方法において、該チャネルは多重通路チャネルであることを特徴とする方法。
【請求項３４】
請求項１９に記載の方法において、該受信機は該送信機からの該パケットデータを捕捉、探知およびデスプレッディングするＲＡＫＥ受信機を有することを特徴とする方法。
【請求項３５】
請求項３４に記載の方法において、該ＲＡＫＥ受信機は、
該送信ユニットからの無線信号を受信するよう動作するアンテナと、
該無線信号を復調すべく該アンテナに結合された復調器と、
該復調無線信号を変換してディジタル信号を形成すべく該復調器に結合された変換器と、
該無線信号をデスプレッディングし探知すべく該変換器に接続されたＲＡＫＥ回路と、
ＲＡＫＥ受信機が任意の任意のデータ伝送速度で該パケットデータの捕捉、探知およびデスプレッディングを提供するよう動作するように該ＲＡＫＥ回路を制御すべく該ＲＡＫＥ回路に結合されたディジタル信号処理ユニットとを含むことを特徴とする方法。
【請求項３６】
請求項１９に記載の方法において、該無線システムは符号分割多元接続（ＣＤＭＡ）符号化を利用するスペクトル拡散システムであることを特徴とする方法。
【請求項３７】
ＣＤＭＡ無線システムにおける高速パケットデータ通信を提供する方法であって、
ａ．第１のデータ伝送速度でデータパケット信号を相互に通信すべく、送信ユニットと受信ユニットの間でディジタル無線通信チャネルを確立する段階であって、該受信ユニットは、該データパケット信号をデスプレッディングするＲＡＫＥ受信機を有し、そして該ディジタル無線通信チャネルは任意のコヒーレンス期間を有する段階と、
ｂ．該受信ユニットに対して該データパケット信号を第２のデータ伝送速度で受信するよう指示すべく、所定の制御データシーケンスを該受信ユニットに送信する段階であって、該第２のデータ伝送速度が該第１のデータ伝送速度より大きいものである段階と、
ｃ．所定の期間中、該データパケット信号を該第２のデータ伝送速度で該受信ユニットに送信する段階であって、該所定の期間は、該ディジタル無線通信チャネルの該任意のコヒーレンス期間より短いものである段階と、
ｄ．該データパケット信号の該送信中に、段階ｃにおいて記載されているように、一定の電力レベルを維持する段階とを含む方法。
【請求項３８】
請求項３７に記載の方法において、該受信ユニットにおいて該制御データシーケンスを検出する段階と、該送信ユニットと同期して該ディジタル無線通信チャネルの符号化利得を変更する段階と、該第２のデータ伝送速度で受信データビットを抽出する段階とをさらに含むことを特徴とする方法。
【請求項３９】
加入者ユニット間のパケットデータ通信を提供する無線通信システムであって、該通信システムは送信ユニット及び受信ユニットからなり、
該送信ユニットは、該通信システムの任意のコヒーレンス期間内のある期間に、任意の伝送速度で、任意の時間に、パケットデータ信号を該受信ユニットに送信し、
該受信ユニットは、該パケットデータ信号を受信し処理するよう動作し、該受信ユニットは、任意のデータ伝送速度で送信された該パケットデータ信号の探知とデスプレッディングを提供するよう動作するＲＡＫＥ受信機を有することを特徴とする通信システム。
【請求項４０】
請求項３９に記載のシステムにおいて、該ＲＡＫＥ受信機が、
送信ユニットからの無線信号を受信するよう動作するアンテナと、
該無線信号を復調すべく該アンテナに接続された復調器と、
該復調無線信号を変換してディジタル信号を形成すべく該復調器に接続された変換器と、
該無線信号をデスプレッディングし探知すべく該変換器に接続されたＲＡＫＥ回路と、
ＲＡＫＥ受信機が多重通路パケットデータ通信を提供するよう動作するように該ＲＡＫＥ回路を制御すべく該ＲＡＫＥ回路に接続されたディジタル信号処理ユニットとを含むことを特徴とする通信システム。